(57)【要約】【課題】２つのほぼ板状の接続対象物が正常にハウジングに挿入したか否かを検知することができるコネクタを提供する。【解決手段】ハウジング３に第１挿入検知コンタクト５と第２挿入検知コンタクト７とを隣接させて配置する。第１挿入検知コンタクト５に接触部５ｃ，５ｆを設ける。第２挿入検知コンタクト７に接触部７ｃ，７ｆを設ける。接触部５ｃ，７ｃは第１ＦＰＣ２１が正常にハウジング３に挿入されたときにそれぞれ第１ＦＰＣ２１に導通するようにする。接触部５ｆは第２ＦＰＣ２２が正常にハウジング３に挿入されたときに第２ＦＰＣ２２によって押圧されて接触部７ｆに接触する。【選択図】図９
2008059803.tif 000002
【特許請求の範囲】
【請求項１】
ほぼ板状の第１接続対象物を受容する第１受容部及びほぼ板状の第２接続対象物を受容する第２受容部を有するハウジングと、
前記ハウジングに配置された第１挿入検知コンタクトと、
前記第１挿入検知コンタクトに隣接させて前記ハウジングに配置された第２挿入検知コンタクトとを備え、
前記第１挿入検知コンタクトは、前記第１受容部に配置された第１接触部と、前記第２接続対象物が前記第２受容部に正常に挿入されたときに前記第２接続対象物によって押圧される第２接触部とを有し、
前記第２挿入検知コンタクトは、前記第１受容部に配置された第３接触部と、前記第２接続対象物が前記第２受容部に正常に挿入されたときに前記第２接触部と接触する第４接触部とを有し、
前記第１接続対象物が前記第１受容部の所定位置まで挿入されていないときに、前記第１接触部と前記第３接触部とのうち少なくとも一方の接触部が前記第１接続対象物と非接触状態にあり、前記第１接続対象物が前記第１受容部の所定位置まで挿入されたときに、前記第１接触部と前記第３接触部との両方の接触部が前記第１接続対象物と接触状態になる
ことを特徴とするコネクタ。
【請求項２】
前記第２接続対象物の前記第２接触部に対する位置決めをする位置決め部が前記ハウジングに設けられていることを特徴とする請求項１記載のコネクタ。
【請求項３】
前記第２接続対象物を前記ハウジングに保持された信号用コンタクトに押し付ける閉位置と前記第２接続対象物の挿抜を許容する開位置との間で回転可能に前記ハウジングに連結されたアクチュエータを備えていることを特徴とする請求項１又は２記載のコネクタ。
【発明の詳細な説明】
【技術分野】
【０００１】
この発明はコネクタに関し、２つのほぼ板状の接続対象物同士を電気的に接続するコネクタに関する。
【背景技術】
【０００２】
従来、保持部材とカード挿着検知端子と共通端子とライトプロテクト検知端子とを備えるコネクタが知られている（下記特許文献１参照）。
【０００３】
保持部材の一端部にはメモリカード（ほぼ板状の接続対象物）を収容する凹部が形成され、保持部材の他端部にはプリント板（ほぼ板状の接続対象物）を収容するプリント板挿入穴が形成されている。
【０００４】
カード挿着検知端子、共通端子及びライトプロテクト検知端子は、保持部材に保持されている。共通端子はカード挿着検知端子とライトプロテクト検知端子との間に位置する。
【０００５】
メモリカードが凹部に挿入されると、メモリカードによってカード挿着検知端子が共通端子に押し付けられて両端子が導通する。その結果、メモリカードが凹部に正常に挿入されたことを検知できる。
【０００６】
メモリカードが凹部に挿入されるときにメモリカードの側部に設けられた移動部材がメモリカードの端子側に位置していると、この移動部材によってライトプロテクト検知端子が共通端子に押し付けられ、両端子が導通する。その結果、メモリカードへの書込みが禁止されているか否かを検知することができる。
【特許文献１】特開２００４−７９３４７号公報（段落００３０〜００３５参照）
【発明の開示】
【発明が解決しようとする課題】
【０００７】
上述のコネクタでは、メモリカードが保持部材に所定位置まで正常に挿入されたか否かを検知することはできるが、プリント板が保持部材に所定位置まで正常に挿入されたか否かを検知することができない。
【０００８】
この発明はこのような事情に鑑みてなされたもので、その課題は２つのほぼ板状の接続対象物が正常にハウジングに挿入されたか否かを検知することができるコネクタを提供することである。
【課題を解決するための手段】
【０００９】
前述の課題を解決するため請求項１の発明のコネクタは、ほぼ板状の第１接続対象物を受容する第１受容部及びほぼ板状の第２接続対象物を受容する第２受容部を有するハウジングと、前記ハウジングに配置された第１挿入検知コンタクトと、前記第１挿入検知コンタクトに隣接させて前記ハウジングに配置された第２挿入検知コンタクトとを備え、前記第１挿入検知コンタクトは、前記第１受容部に配置された第１接触部と、前記第２接続対象物が前記第２受容部に正常に挿入されたときに前記第２接続対象物によって押圧される第２接触部とを有し、前記第２挿入検知コンタクトは、前記第１受容部に配置された第３接触部と、前記第２接続対象物が前記第２受容部に正常に挿入されたときに前記第２接触部と接触する第４接触部とを有し、前記第１接続対象物が前記第１受容部の所定位置まで挿入されていないときに、前記第１接触部と前記第３接触部とのうち少なくとも一方の接触部が前記第１接続対象物と非接触状態にあり、前記第１接続対象物が前記第１受容部の所定位置まで挿入されたときに、前記第１接触部と前記第３接触部との両方の接触部が前記第１接続対象物と接触状態になることを特徴とする。
【００１０】
上述のように前記第１接続対象物が前記第１受容部の所定位置まで挿入されていないときに、前記第１接触部と前記第３接触部とのうち少なくとも一方の接触部が前記第１接続対象物と非接触状態にあり、前記第１接続対象物が前記第１受容部の所定位置まで挿入されたときに、前記第１接触部と前記第３接触部との両方の接触部が前記第１接続対象物と接触状態になり、また、前記第２接続対象物が前記第２受容部に正常に挿入されたときに前記第４接触部は前記第２接触部と接触するので、第１、第３接触部の第１接続対象物に対する接触状態と第２接触部と第４接触部との接触状態によって、両接続対象物が正常にハウジングに挿入されか否かを検知できる。
【００１１】
請求項２の発明は、請求項１記載のコネクタにおいて、前記第２接続対象物の前記第２接触部に対する位置決めをする位置決め部が前記ハウジングに設けられていることを特徴とする。
【００１２】
請求項３の発明は、請求項１又は２記載のコネクタにおいて、前記第２接続対象物を前記ハウジングに保持された信号用コンタクトに押し付ける閉位置と前記第２接続対象物の挿抜を許容する開位置との間で回転可能に前記ハウジングに連結されたアクチュエータを備えていることを特徴とする。
【発明の効果】
【００１３】
この発明によれば、２つのほぼ板状の接続対象物が正常にハウジングに挿入されたか否かを検知することができる。
【発明を実施するための最良の形態】
【００１４】
以下、この発明の実施の形態を図面に基づいて説明する。
【００１５】
図１はこの発明の一実施形態に係るコネクタの斜視図、図２は図１に示すコネクタの内部を透視した状態の斜視図、図３は図１に示すコネクタのハウジングの天井を除去した状態の平面図、図４は図２のIV−IV線に沿うアクチュエータを取り除いた状態の断面図、図５は図２のＶ−Ｖ線に沿うアクチュエータを取り除いた状態の断面図、図６は図２のVI−VI線に沿うアクチュエータを取り除いた状態の断面図、図７は図２のVII−VII線に沿うアクチュエータを取り除いた状態の断面図、図８は図３の部分拡大図、図９は第２ＦＰＣによって第１、第２挿入検知コンタクト同士が接触した状態を示す部分拡大図である。
【００１６】
図１〜図３に示すように、このコネクタはハウジング３と第１挿入検知コンタクト５と第２挿入検知コンタクト７と信号コンタクト１１と信号コンタクト１２とアクチュエータ１３とを備え、第１の接続対象物である第１ＦＰＣ（Ｆｌｅｘｉｂｌｅ  Ｐｒｉｎｔｅｄ  Ｃｉｒｃｕｉｔ）２１と第２の接続対象物である第２ＦＰＣ２２とを互いに接続するものである。
【００１７】
第１ＦＰＣ２１はほぼ板状であり、その一端部には一対の挿入検知用端子２１ａ，２１ｂ及び複数の信号用端子２１ｃが形成されている。挿入検知用端子２１ａ，２１ｂは端子配列方向の一端部に配置されている。挿入検知用端子２１ａ，２１ｂは図示しない挿入検知用導電路の末端である。また、第１ＦＰＣ２１の端子配列方向の両側部にはロック片２１ｄが形成されている。ロック片２１ｄにはロック孔２１ｅが形成されている。
【００１８】
第２ＦＰＣ２２はほぼ板状であり、その一端部には複数の信号用端子２２ｃが形成されている。信号用端子２２ｃの数は信号用端子２１ｃの数と同じである。
【００１９】
ハウジング３は保持部３１と板状部３２と側部３３，３４とを有する。保持部３１は断面がほぼ矩形の板状である。保持部３１には第１ＦＰＣ２１の一端部を受容する第１受容部３１ａが形成されている（図４〜８参照）。また、保持部３１にはその長手方向に沿って所定間隔に複数のコンタクト収容室３１ｂが形成されている。複数のコンタクト収容室３１ｂは、それぞれ第１受容部３１ａと交わっている。複数のコンタクト収容室３１ｂのうち、保持部３１の長手方向の一端部にある２つのコンタクト収容室３１ｂには第１、第２挿入検知コンタクト５，７が収容され、残りのコンタクト収容室３１ｂには後述する信号コンタクト１１，１２が交互に収容される。
【００２０】
板状部３２は保持部３１に結合されている。板状部３２には複数の溝３２ａが形成されている。複数の溝３２ａはそれぞれ嵌合離脱方向Ｄ１へ延び、コンタクト収容室３１ｂに通じている。
【００２１】
側部３３の内側面には位置決め突起（位置決め部）３３ａが形成されている。位置決め突起３３ａは第２ＦＰＣ２２の一側面２２ｆと摺動可能に接触し、後述する第１挿入検知コンタクト５の接触部５ｆに対する第２ＦＰＣ２２の他側面２２ｇの位置決めをする。
【００２２】
側部３３，３４にはそれぞれ傾斜面３３ｂ，３４ｂが形成されている。傾斜面３３ｂ，３４ｂはアクチュエータ１３と当接し、アクチュエータ１３を開状態に保持する。
【００２３】
側部３３と保持部３１との間、側部３４と保持部３１との間にはそれぞれロックアーム３５が形成されている。ロックアーム３５の先端部には爪３５ａが形成されている。ロックアーム３５は嵌合離脱方向Ｄ１へ延び、ハウジング３の上下方向Ｄ２へ揺動可能である。爪３５ａは第１ＦＰＣ２１が正常に第１受容部３１ａに挿入されたとき、第１ＦＰＣ２１のロック孔２１ｅに挿入される。これにより、第１ＦＰＣ２１はハウジング３にロックされる。
【００２４】
保持部３１の一端部には張出部３６が形成されている。張出部３６には収容空間３６ａが形成されている（図４，５参照）。収容空間３６ａは後述する第１、第２挿入検知コンタクト５，７の接触部５ｆ，７ｆを収容し、コンタクト収容室３１ａ及び後述する空間３７に通じている。
【００２５】
板状部３２の上方には空間３７が存在する（図６，７参照）。空間３７の上部はアクチュエータ９を収容する空間となっており、空間３７の下部は第２ＦＰＣ２２を挿抜可能に受容する空間（第２受容部）となっている。
【００２６】
第１挿入検知コンタクト５は、図４に示すように、ほぼ矩形の胴部５ａを有する。胴部５ａはコンタクト収容室３１ｂに圧入されている。胴部５ａの一端には脚部５ｂと接触部（第１接触部）５ｃとが結合されている。接触部５ｃの先端部には接点５ｄが形成されている。接点５ｄは第１ＦＰＣ２１が所定位置まで正常に第１受容部３１ａに挿入されたときに挿入検知用端子２１ａに接触する。このために、接点５ｄは後述する信号コンタクト１１の接点１１ｄよりも第１受容部３１ａの奥の方（空間３７側）に位置している。胴部５ａの他端には揺動アーム部５ｅが結合されている。揺動アーム部５ｅはハウジング３の幅方向Ｄ３（図１参照）へ揺動可能である。揺動アーム部５ｅの先端部には接触部（第２接触部）５ｆが形成されている。
【００２７】
第２挿入検知コンタクト７は、図５に示すように、ほぼ矩形の胴部７ａを有する。胴部７ａはコンタクト収容室３１ｂに圧入されている。胴部７ａの一端には脚部７ｂと接触部（第３接触部）７ｃとが結合されている。接触部７ｃの先端部には接点７ｄが形成されている。接点７ｄは第１ＦＰＣ２１が第１受容部３１ａに挿入されると直ぐに挿入検知用端子２１ｂに接触する。胴部７ａの他端には揺動アーム部７ｅが結合されている。揺動アーム部７ｅはハウジング３の幅方向Ｄ３へ揺動可能である。揺動アーム部７ｅの先端部には接触部（第４接触部）７ｆが形成されている。
【００２８】
信号コンタクト１１は、図６に示すように、ほぼ矩形の胴部１１ａを有する。胴部１１ａはコンタクト収容室３１ｂに圧入されている。胴部１１ａの一端には脚部１１ｂと接触部１１ｃとが結合されている。接触部１１ｃの先端部には接点１１ｄが形成されている。接点１１ｄは第１ＦＰＣ２１の信号用端子２１ｃに接触する。胴部１１ａの他端には結合部１１ｅを介して保持アーム部１１ｆと接触部１１ｇとが結合されている。接触部１１ｇの先端部には接点１１ｈが形成されている。接点１１ｈは第２ＦＰＣ２２の信号用端子２２ｃに接触する。
【００２９】
信号コンタクト１２は、図７に示すように、ほぼ矩形の胴部１２ａを有する。胴部１２ａはコンタクト収容室３１ｂに圧入されている。胴部１２ａの一端には脚部１２ｂと接触部１２ｃとが結合されている。接触部１２ｃの先端部には接点１２ｄが形成されている。接点１２ｄは第１ＦＰＣ２１の信号用端子２１ｃに接触する。胴部１２ａの他端には結合部１２ｅを介して保持アーム部１２ｆと接触部１２ｇとが結合されている。接触部１２ｇの先端部には接点１２ｈが形成されている。接点１２ｈは第２ＦＰＣ２２の信号用端子２２ｃに接触する。
【００３０】
信号コンタクト１１と信号コンタクト１２との違いは、接触部１１ｃ、１２ｃの長さが異なるだけである。接触部１２ｃの長さは接触部１１ｃの長さよりも短い。このため、接点１２ｄは接点１１よりも第２ＦＰＣ２２寄りに位置している。
【００３１】
アクチュエータ１３にはその長手方向に沿って所定間隔に複数の溝１３ａ（図１参照）が形成されている。複数の溝１３ａはそれぞれコンタクト収容室３１ｂに連続する。アクチュエータ１３には、その長手方向へ延び、複数の溝１３ａを横切る軸（図示せず）が形成されている。軸の断面形状はほぼ楕円形であり、カムの機能を有する。軸は溝１３ａに挿入された信号コンタクト１１，１２の保持アーム１１ｆ，１２ｆによって回転可能に保持されている。これにより、アクチュエータ１３は信号コンタクト１１，１２を介してハウジング３に回転可能に結合されている。アクチュエータ１３は閉位置（図１に示す位置）と開位置（アクチュエータ１３が傾斜面３３ｂ，３４ｂに支持されたときの位置）との間で回転することができる。アクチュエータ１３が開位置にあるとき、アクチュエータ１３の軸の長径方向が嵌合離脱方向Ｄ１と平行になり、この軸と信号コンタクト１１，１２の接触部１１ｇ，１２ｇとの間に第２ＦＰＣ２２を挿抜可能となる。アクチュエータ１３が閉位置にあるとき、アクチュエータ１３の軸の長径方向が上下方向Ｄ２と平行になり、この軸は第２ＦＰＣ２２の信号用端子２２ｃを接触部１１ｇ，１２ｇの接点１１ｈ，１２ｈに押し付け、信号コンタクト１１，１２が第２ＦＰＣ２２に導通する。
【００３２】
なお、アクチュエータ１３の構成及び動作は公知の技術であり、特開２００６−１４７４９１号公報を参照。
【００３３】
次に、この実施形態のコネクタの挿入検知の動作について説明する。
【００３４】
第２ＦＰＣ２２が空間３７に挿入されていないとき、図８に示すように、第１挿入検知コンタクト５の接触部５ｆは第２挿入検知コンタクト７の接触部７ｆから離れている。
【００３５】
第２ＦＰＣ２２が空間３７に挿入されると、図９に示すように、第１挿入検知コンタクト５の接触部５ｆが第２ＦＰＣ２２の他側面２２ｇによって押圧され、第２挿入検知コンタクト７の接触部７ｆに接触する。このとき、図９には示していないが、第１ＦＰＣ２１が第１受容部３１ａに正常に挿入されていれば、第１ＦＰＣ２１の挿入検知用端子２１ａ，２１ｂ同士が第１、第２挿入検知コンタクト５，７を介して接続され、これにより、第１ＦＰＣ２１及び第２ＦＰＣ２２が正常にハウジング３に挿入されたことを検出できる。
【００３６】
なお、挿入検知用端子２１ａ，２１ｂは検知信号を発生する検知回路（図示せず）に接続されている。
【００３７】
仮に、第１ＦＰＣ２１が第１受容部３１ａに正常に挿入されていなければ、第１ＦＰＣ２１の挿入検知用端子２１ａ，２１ｂ同士が第１、第２挿入検知コンタクト５，７を介して接続されず、第１ＦＰＣ２１及び第２ＦＰＣ２２が正常にハウジング３に挿入されたことを知らせる検知信号が発生しない。
【００３８】
また、仮に、第１ＦＰＣ２１が第１受容部３１ａに正常に挿入されていても、第２ＦＰＣ２２が空間３７に正常に挿入されていなければ、第１挿入検知コンタクト５の接触部５ｆが第２挿入検知コンタクト７の接触部７ｆに接触しないので、このため、第１ＦＰＣ２１の挿入検知用端子２１ａ，２１ｂ同士が第１、第２挿入検知コンタクト５，７を介して接続されず、第１ＦＰＣ２１及び第２ＦＰＣ２２が正常にハウジング３に挿入されたことを知らせる検知信号が発生しない。
【００３９】
以上のように、この実施形態によれば、第１ＦＰＣ２１及び第２ＦＰＣ２２が正常にハウジング３に挿入されたか否かを検知することができる。
【００４０】
また、この実施形態によれば、位置決め突起３３ａによって第２ＦＰＣ２２が位置決めされるので、第２ＦＰＣ２２の空間３７への挿入作業を容易に行うことができる。
【００４１】
更に、この実施形態によれば、アクチュエータ１３が設けられているので、第２ＦＰＣ２２を無挿入力で挿入することができる。
【００４２】
なお、第１、第２接続対象物としてＦＰＣ２１，２２が用いられているが、第１、第２接続対象物はＦＰＣ２１，２２に限られず、例えば、ＦＦＣ（Ｆｌｅｘｉｂｌｅ  Ｆｌａｔ  Ｃａｂｌｅ）やメモリカードであってもよい。
【図面の簡単な説明】
【００４３】
【図１】図１はこの発明の一実施形態に係るコネクタの斜視図である。
【図２】図２は図１に示すコネクタの内部を透視した状態の斜視図である。
【図３】図３は図１に示すコネクタのハウジングの天井を除去した状態の平面図である。
【図４】図４は図２のIV−IV線に沿うアクチュエータを取り除いた状態の断面図である。
【図５】図５は図２のＶ−Ｖ線に沿うアクチュエータを取り除いた状態の断面図である。
【図６】図６は図２のVI−VI線に沿うアクチュエータを取り除いた状態の断面図である。
【図７】図７は図２のVII−VII線に沿うアクチュエータを取り除いた状態の断面図である。
【図８】図８は図３の部分拡大図である。
【図９】図９は第２ＦＰＣによって第１、第２挿入検知コンタクト同士が接触した状態を示す部分拡大図である。
【符号の説明】
【００４４】
３  ハウジング
３１ａ  第１受容部
３３ａ  位置決め突起（位置決め部）
３７  空間（第２受容部）
５  第１挿入検知コンタクト
５ｃ  接触部（第１接触部）
５ｆ  接触部（第２接触部）
７  第２挿入検知コンタクト
７ｃ  接触部（第３接触部）
７ｆ  接触部（第４接触部）
１１  信号コンタクト
１２  信号コンタクト
１３  アクチュエータ
２１  第１ＦＰＣ（第１接続対象物）
２２  第２ＦＰＣ（第２接続対象物）
【図１】
2008059803.tif 000003
【図２】
2008059803.tif 000004
【図３】
2008059803.tif 000005
【図４】
2008059803.tif 000006
【図５】
2008059803.tif 000007
【図６】
2008059803.tif 000008
【図７】
2008059803.tif 000009
【図８】
2008059803.tif 000010
【図９】
2008059803.tif 000011